(57)【要約】【課題】魚が掛け針に引っ掛かりやすいように、逆さ針または掛け針を保持できる針保持装置付きルアーを提供する。【解決手段】ルアーに突設されるアイに直接、または仕掛糸を介して錨形の掛け針が取り付けられるルアーにおいて、そのルアーの腹部に凹部を設け、縦の割込筋が形成された弾性材をその凹部に嵌入して固着し、弾性材の割込筋に、掛け針の一の針先または、仕掛糸の逆さ針を差し込んで、魚が掛かるまで脱出しないように保持し得るようにした。【選択図】    図１
2004337076.tif 000002
【特許請求の範囲】
【請求項１】
ルアーに突設されるアイに直接、または仕掛糸を介して錨形の掛け針が取り付けられるルアーにおいて、そのルアーの腹部に凹部を設け、縦の割込筋が形成された弾性材をその凹部に嵌入して固着し、弾性材の割込筋に、掛け針の一の針先または、仕掛糸の逆さ針を差し込んで、魚が掛かるまで脱出しないように保持し得るようにしたことを特徴とする針保持装置付。
【請求項２】
友釣用であって、ルアーの口許に鼻環に相当するアイが突設され、そのアイに結ぶ掛け針付きの仕掛糸には、掛け針の近くにおいて逆さ針が取り付け付けられていることを特徴とする請求項１記載の針保持装置付きルアー。
【発明の詳細な説明】
【０００１】
【発明の属する技術分野】
この発明は、友釣のおとり用疑似魚または疑似餌としてのルアーにおいて、魚を引っ掛ける掛け針を釣りやすい位置に保持するようにした針保持装置付きルアーに関する。
【０００２】
【従来の技術】
鮎の友釣は、普通には生きた鮎を河川に泳がせることにより、鮎の縄張り本能と闘争本能とを刺激して攻撃させ、そのおとり鮎に仕掛けてある掛け針に引っ掛かったタイミングをとらえる釣り方であるが、おとり鮎に似せたルアーを用いることがある。いずれの場合も、攻撃してくる鮎を引っ掛ける掛け針が口許から糸で後方に遊泳させるように仕掛けられる。
【０００３】
また、活き鮎のおとりでは、口許に道糸を引っ掛ける鼻環を差し付け、鼻環に掛け針の仕掛糸が連結されるが、このままでは、掛け針の行方が定まらなく、おとり鮎に絡む等して鮎が釣れないために、仕掛糸の中途に逆さ針を取り付け、おとり鮎の尻部近くの下ヒレ（尾ヒレ）にその逆さ針を引っ掛けることにより、鮎が掛かりやすい範囲に掛け針の行動範囲が規制され、鮎が掛かると逆さ針がヒレから外れることにより、暴れる鮎が逃げないように掛け針を自由に放すように仕掛けられる。
【０００４】
そこで、従来、友釣用のルアーでは、鼻環の代わりに道糸を掛けるアイを突設し、それに掛け針の仕掛糸を取り付け、尾ヒレの代わりに、裂け目で開放するようにした細孔付きの突片を形成し、同じような仕掛けをなしていたが、逆さ針を細孔に通すのが殊に老眼であると困難であり、また、突片が固い材質であると魚が掛かった時に逆さ針が裂け目から外れなく、弱い材質であると藻程度に引っ掛かっただけで外れてしまうため、掛け針の移動範囲が適当に保持されるように逆さ針を固定されることと、鮎が引っ掛かると、暴れる鮎を自由にするためにスムーズに逆さ針が外れることとの相反する両面の仕掛けが困難であった。また、突片が反復使用により機能が衰え使えなくなる欠点があった。
【０００５】
また、疑似餌としての普通のルアーの場合、一般的に尻尾の他に、腹部にもアイを介して掛け針が取り付けられるが、水流を受けて掛け針が余分な動きをして魚が引っ掛かりにくくなる反面、障害物に引っ掛かりやすいばかりか、ルアーを打撃して音が出るために、その掛け針の動きを止めるために、図７に示すように、ルアー２６の腹部に掛け針３２を吸引して保持する磁石３０を埋設していたが、魚が掛かった時に掛け針の止めが解除されるように磁力に制約があるため、ポイントに向けて投げたとき等に外れるという不都合があった。
【０００６】
また、腹部に前後一対の掛け針（トリプルフック）が取り付けられていると、相互に絡み合つき（図５で説明すると、後ろの掛け針１５が反転して前の掛け針１５に絡みつく）、また、特に、細長いルアー２８の場合には、図８に示すように、掛け針３４がルアー２８にまつわりつくように引っ掛かって、魚が掛からない機能停止状態となることがあった。
【０００７】
この発明は、上記のように、魚が掛け針に引っ掛かりやすいように、逆さ針または掛け針を保持できる針保持装置付きルアーを提供することを目的とした。
【０００８】
【課題を解決するための手段】
上記の目的を達成するために、この発明は、ルアーに突設されるアイに直接、または仕掛糸を介して錨形の掛け針が取り付けられるルアーにおいて、そのルアーの腹部に凹部を設け、縦の割込筋が形成された弾性材をその凹部に嵌入して固着し、弾性材の割込筋に、掛け針の一の針先または、仕掛糸の逆さ針を差し込んで、魚が掛かるまで脱出しないように保持し得るようにしたことを特徴とする針保持装置付を提供するものである。
【０００９】
針保持装置付きルアーを上記のように構成したから、ルアーを使用するときには、腹部に埋設されている弾性材に掛け針の針先または仕掛糸の逆さ針を差し込んでおくと、これによって掛け針が魚の掛かりやすい位置に保持され、魚が掛かると弾性材から抜けることにより、逃げようとする魚が掛け針から外れないように掛け針に自由が与えられる。弾性材への針の差し込みが縦の割込筋によるので、針を差し込みやすく取り扱いに便利であり、また、、差し込み状態が保持されやすいので、魚が掛かる率が高くなる。しかも、魚の力で容易に外れるために、釣れた魚を逃しがたい。
【００１０】
友釣用であって、ルアーの口許に鼻環に相当するアイが突設され、そのアイに結ぶ掛け針付きの仕掛糸には、掛け針の近くにおいて逆さ針が取り付け付けられていると、友釣に有効である。
【００１１】
【発明の実施の形態】
次に、この発明の実施の形態を図面に基づいて説明する。
【００１２】
図１ないし図４は、ルアー１が疑似おとり鮎である場合について実施した一例の形態を示したもので、その針保持装置付きルアーＰは、ルアー１をプラスチックで鮎に似せて成形するときに、その尾部近くの腹面に凹部３が形成され、その凹部３に弾性材５を嵌め込み、その弾性材５に縦の割込筋７が設けられる。またルアー１の口許に鼻環に相当するアイ９が突設され、そのアイ９に道糸１１と仕掛糸１３とを結び、仕掛糸１３の先端に掛け針１５が取り付けられ、中途に逆さ針１７が取り付けられる。そして、使用するときには、逆さ針１７を凹部３の弾性材５に差し付けられ（図２）、そのため、弾性材５には差し込むための縦の割込筋７を有する。
【００１３】
弾性材５は、割込筋７に逆さ針１７を差し込むとその弾性の力により挟持して離さないので、仕掛糸１３の掛け針１５の遊動範囲を規制するが、鮎が掛け針１５に引っ掛かると逆さ針１７が抜けるために、鮎の動きに自由が与えられる。このような作用を果たす限り、弾性材５の材質は特に制限するものではなく、例えば、ゴムまたは合成ゴム（ゴム片の二つ折りで割込筋７を形成したものが良い）、スポンジ状発泡材、板バネ等を使用することができる。図示の場合であると、軟質プラスチック製のチューブを二つ折りにして凹部３に嵌入される（図３，図４）。この形態であると、逆さ針１７が抜けがたく、しかも、一定以上の引っ張りがあると確実に抜ける。これは、チューブに適度に摩擦があり、また、高さ中間部に圧接点を有するからである。
【００１４】
友釣用であるので、ルアー１の後端に魚の尻尾を形成することもあるが、この形態は、普通のルアーと同様にアイ１９を突設した。このアイ１９の使用においては、掛け針１５を糸とともに（Ａの部分で）で取り付けるので、原則として弾性材５は使用しない。また、友釣の場合、河川の水流によりルアー１が浮き上がろうとするので、それに抗して潜行させるためにリップ２１を設けたが、頭部近くの両側にヒレ等を設けて、その傾斜角度で潜行させるようにすることもできる。
【００１５】
図５は、疑似餌としてのルアー１について実施した他の形態を示したもので、魚の形をしているが、他の例えば昆虫等の形態であっても良い。ルアー１の腹部には、フックとしての前後一対の掛け針１５，１５がアイ１０，１０により取り付けられている。また、腹部には、アイ１０，１０よりも後方に凹部３，３を設け、それに弾性材５が嵌着され、弾性材５，５にはそれぞれ割込筋７，７が形成されて、それに掛け針１５，１５の一の針先１５ａを差し込むことにより、両掛け針１５，１５が仮固定されているので、両掛け針１５，１５がルアー１に絡んだり、相互に引っ掛かったりしないように保持される。しかし、魚が引っ掛かると、魚が逃げないように掛け針１５が割込筋７から抜けることになる。
【００１６】
なお、逆さ針１７は、必ずしも針形（フック形）であることを要しなく、弾性材５との相互関係で多様な形が考えられる。
【００１７】
【発明の効果】
以上説明したように、この発明の針保持装置付きルアーによれば、掛け針が余分な動きをしないように一定範囲に動きが制約され、また、魚がそれに掛かるとその範囲が解除されるために、釣果を上げるのに最適であって、弾性材の割込筋に針を差し込む簡単な操作で仕掛けができ、しかも、反覆使用に耐えて長く所期の働きが得られるという優れた効果がある。
【図面の簡単な説明】
【図１】この発明の針保持装置付きルアーを仕掛け作業中途で示す下側から見た斜視図である。
【図２】同針保持装置付きルアーの仕掛け状態で示す一部切欠した側面図である。
【図３】同針保持装置付きルアーにおける弾性材の取付け要領を示す斜視図である。
【図４】同弾性材の取り付けた状態を示すルアーの一部斜視断面図である。
【図５】他の実施形態を示す一部切欠した針保持装置付きルアーの側面図である。
【図６】同針保持装置付きルアーにおいて掛け針が保持される状態を示す断面説明図である。
【図７】従来例の説明図である。
【図８】従来例の説明図である。
【符号の説明】
Ｐ  針保持装置付きルアー
１  ルアー
３  凹部
５  弾性材
７  割込筋
９，１０  アイ
１３  仕掛糸
１５  掛け針
１５ａ  針先
１７  逆さ針
【図１】
2004337076.tif 000003
【図２】
2004337076.tif 000004
【図３】
2004337076.tif 000005
【図４】
2004337076.tif 000006
【図５】
2004337076.tif 000007
【図６】
2004337076.tif 000008
【図７】
2004337076.tif 000009
【図８】
2004337076.tif 000010